(57)【特許請求の範囲】
【請求項１】
心電図測定装置から入力される心電図信号波形のタイミングを用いて撮影手段による眼底画像の撮影タイミングを決定する眼科撮影装置において、
眼底画像データと、その眼底画像の撮影タイミングの決定に係わる心電図信号波形データを関連づけてファイリング記録するファイリング手段を有し、
前記ファイリング手段で、前記心電図信号波形データとともに前記心電図波形データに基づき決定される前記眼底画像撮影を制御するタイミングデータが記録されることを特徴とする眼科撮影装置。
【請求項２】
前記心電図測定装置から入力した心電図波形データのファイリング記録開始後、所定時間後に前記心電図波形データのファイリング記録を終了することを特徴とする請求項１に記載の眼科撮影装置。
【請求項３】
前記心電図測定装置から入力した心電図波形データのファイリング記録開始後、少なくとも前記眼底画像の撮影タイミングの決定に係わる心電図波形を含む１ないし数拍動ぶんの心電図波形をファイリング記録した後、ファイリング記録を終了することを特徴とする請求項１に記載の眼科撮影装置。
【請求項４】
前記ファイリング手段で、前記タイミングデータが絶対時刻データフォーマットで記録されることを特徴とする請求項１に記載の眼科撮影装置。
【発明の詳細な説明】
【０００１】
【発明の属する技術分野】
本発明は心電図測定装置から入力される心電図信号のタイミングを用いて眼底血管の撮影タイミングを決定するとともに、撮影した眼底画像データをファイリングする眼科撮影装置に関するものである。
【０００２】
【従来の技術】
国際特許出願公開公報ＷＯ  ０１／３０２３５  Ａ１には、眼底カメラで撮影した画像から眼底血管のサイズを測定することにより、動脈硬化を測定する技術が開示されている。その測定原理は、図２に示すように眼底の動脈１と静脈２が交差している領域において、動脈１の拍動にともなう静脈２の変形を評価しようとするものである。
【０００３】
具体的には、動脈の直径Ａに基づき、動脈１と静脈２の交差点より距離Ａ＊３だけ末梢側に離れた位置の静脈２の直径Ｖ１と、交差点より距離Ａ／１０だけ末梢側に離れた位置の静脈２の直径Ｖ２を測定し、Ｖ２とＶ１の比から動脈硬化の状態を評価する。たとえば、Ｖ２／Ｖ１の比が１に近ければ動脈硬化なし、Ｖ２／Ｖ１の比が０に近ければより高度の動脈硬化、と判定する。測定は、１測定点のみについて行なうのではなく、眼底乳頭部より１乳頭以上離れた眼底の動脈と静脈の複数の交差点について実施し、それぞれで得られたＶ２／Ｖ１の比の平均などを算出することにより行なうのが望ましい。
【０００４】
【発明が解決しようとする課題】
国際特許出願公開公報ＷＯ  ０１／３０２３５  Ａ１に記載された測定方式は、眼底動脈に拍動が生じた状態で測定を行なうことを前提としており、このために心電図信号を用いて眼底カメラによる目的の部位の撮影タイミングを生成する。心電図信号の拍動タイミングを直接用いないのは、心臓の拍動と、眼底のように末梢に近い部位の血流にはタイムラグがあり、完全に同期していないためである。
【０００５】
心電図信号を用いて眼底カメラの撮影タイミングを生成するには、心電図信号の所定波形部位のタイミングに心臓の拍動と眼底血管の拍動のタイムラグに相当する遅延時間を加えて撮影タイミングを得ることが考えられる。
【０００６】
このように、動脈硬化の測定の目的で行なう眼底撮影と心電図測定は密接に関係しているので、眼底画像と、心電図信号の波形や眼底撮影タイミングとの関係、遅延時間データなどを関連づけて記録できるようにすれば、眼底撮影時およびその後の評価の過程において有用であると考えられる。
【０００７】
本発明の課題は、心電図測定装置から入力される心電図信号のタイミングを用いて眼底血管の撮影タイミングを決定するとともに、撮影した眼底画像データを心電図信号と関連づけてファイリングすることができる眼科撮影装置を提供することにある。
【０００８】
【課題を解決するための手段】
上記の課題を解決するため、本発明によれば、心電図測定装置から入力される心電図信号波形のタイミングを用いて撮影手段による眼底画像の撮影タイミングを決定する眼科撮影装置において、眼底画像データと、その眼底画像の撮影タイミングの決定に係わる心電図信号波形データを関連づけてファイリング記録するファイリング手段を有し、前記ファイリング手段で、前記心電図信号波形データとともに前記心電図波形データに基づき決定される前記眼底画像撮影を制御するタイミングデータが記録される構成を採用した。
【００１３】
あるいはさらに、前記心電図測定装置から入力した心電図波形データのファイリング記録開始後、所定時間後に前記心電図波形データのファイリング記録を終了する構成を採用した。
【００１４】
あるいはさらに、前記心電図測定装置から入力した心電図波形データのファイリング記録開始後、少なくとも前記眼底画像の撮影タイミングの決定に係わる心電図波形を含む１ないし数拍動ぶんの心電図波形をファイリング記録した後、ファイリング記録を終了する構成を採用した。
【００１５】
【発明の実施の形態】
以下、図を参照して本発明の実施の形態を説明する。まず、図１〜図６を用いて動脈硬化測定目的で眼底撮影を行なうための基本構成につき説明する。
【００１６】
図１に本発明を採用した眼科撮影装置の構成を示す。図１において符号１０は眼底カメラで、眼底カメラ光学系１１を有する。図１においては、撮影系の要部のみをブロックにより示しており、筐体や眼底カメラ光学系１１のアライメント機構などの図示は従来同様であるものとして省略してある。
【００１７】
眼底カメラ光学系１１による眼底画像はＣＣＤ１３により入力し、ファイリング装置３０にファイルすることができるようになっている。
【００１８】
眼底カメラ光学系１１とＣＣＤ１３の間にはシャッタ１２を示してあるが、このシャッタ１２は必ずしも機械式のものである必要はなく、純電子的に構成されていてもよい。つまり、シャッタ１２は、ＣＣＤ１３による画像取得タイミングを制御できるものであればよい。
【００１９】
ファイリング装置３０は、ＰＣ（パーソナルコンピュータ）ハードウェアを利用して構成され、不図示のＣＰＵ、ＲＯＭ、ＲＡＭ、キーボード３１、マウス３２、ＣＲＴディスプレイなどからなるモニタ４０のようなユーザーインターフェース手段を含む。また、撮影画像データや測定結果などのデータ、さらに後述の心電図波形データ、および撮影画像データと心電図波形データを関連づけるタイミングデータなどを外部の装置と交換するためのネットワークインターフェース３３（あるいはモデムなどの通信手段でも可）を有する。
【００２０】
また、ファイリング装置３０は、撮影画像や測定結果などのデータをファイリングするための記憶手段としてＨＤＤ（ハードディスクドライブ）４１と、撮影タイミングの制御や、後述の撮影タイミングと心電図波形データの関連づけに用いるタイマ４２を有する。
【００２１】
タイマ４２は公知の時計ＩＣなどから構成され、絶対時刻データを出力することができるものとする。絶対時刻データは、ある種のＯＳで用いられているような基準日時からの経過秒数、のような形式で表現されたものでよいが、タイマ４２の出力する絶対時刻データのフォーマットは任意である。
【００２２】
ファイリング装置３０は、撮影画像や測定結果などのデータをＨＤＤ４１にファイリングするとともに、ＣＣＤ１３により撮影した眼底血管の画像に対する画像処理を行なう画像処理装置、およびその結果に基づき動脈硬化を測定する動脈硬化測定装置（の主要部）としても機能する。データファイリングおよび動脈硬化測定のためのプログラムは、ＨＤＤ４１あるいは他の記憶媒体に格納され、ファイリング装置３０のＯＳ（オペレーティングシステム）により実行される。これらのプログラムは、あらかじめＨＤＤ４１に格納した状態で出荷するか、あるいは他の記憶媒体、たとえばフレキシブルディスク、ＭＯ、ＣＤ−ＲＯＭなどの媒体により供給したり、あるいはネットワークインターフェース３３を介してダウンロードすることができる。
【００２３】
本装置では、前述の国際特許出願公開公報ＷＯ  ０１／３０２３５  Ａ１に記載された測定方式を用い、ＣＣＤ１３により撮影した眼底血管の画像に対して画像処理を行ない、動脈硬化の状態を測定（評価）する。測定原理は図２により関連して説明した通りである。
【００２４】
図２の測定方式によれば、動脈中に血流（拍動）が存在する状態において眼底の目的の部位をＣＣＤ１３により撮影し、撮影した眼底血管の画像に対して画像処理を行ない、静脈２の直径Ｖ１およびＶ２を測定しなければならない。
【００２５】
このために、心電図測定装置２０から出力される心電図信号Ｈと、検者が操作するシャッタボタン１４のシャッタ操作信号Ｓを入力し、シャッタ１２の駆動タイミングを決定するシャッタタイミング信号ＳＴ（撮影タイミング信号）を生成するタイミング制御回路１５を設けてある。
【００２６】
シャッタボタン１４は眼底カメラ１０本来のものを流用するのが望ましいが、装置の仕様などによっては、動脈硬化測定専用の外付けのスイッチ（ペダルスイッチなどでも可）などから構成してもよい。眼底カメラでは、カメラと被検眼のアライメントを常時調整しつつシャッタ操作を行なわなければならないので、シャッタボタン１４は本発明のような動脈硬化測定のための撮影においても必須のものである。
【００２７】
心電図測定装置２０から出力可能な心電図信号Ｈには種々のタイプがあるが、動脈硬化測定に適した信号を用いる。国際特許出願公開公報ＷＯ  ０１／３０２３５  Ａ１において既に認識されているように、心電図信号と、実際の眼底血管の拍動にはタイムラグがあるので、心電図信号Ｈのタイミングを直接用いてシャッタを切ることはできない。
【００２８】
そこで、本実施形態においては、心電図信号Ｈのタイミングに、心電図信号と眼底血管の拍動のタイムラグに相当する遅延時間を加えることによりシャッタ１２を駆動するシャッタタイミング信号ＳＴを生成する。本実施形態では、心電図信号Ｈに加える遅延時間は、遅延時間設定部１６により設定できるようにしてある。遅延時間設定部１６の構成および動作については後述する。
【００２９】
また、上記のようにカメラと被検眼のアライメントを常時調整しつつシャッタ操作を行なうため、シャッタタイミング信号ＳＴの生成にシャッタボタン１４の操作タイミングを用いれば、より正確な眼底範囲を撮影することができる。
【００３０】
図３および図４に、心電図信号Ｈ、シャッタ操作信号Ｓからシャッタタイミング信号ＳＴを生成するためのタイミング制御回路１５の構成例を示す。
【００３１】
図３および図４は、タイミング制御回路１５の要部の異なる構成および動作を模式的に示したものである。図３および図４の下部はタイミング制御回路１５の回路構成を、また上部は回路中の信号のタイミングを示している。なお、図３、図４に示した構成はあくまでも模式的なものであり、同様の機能をたとえばＤＳＰおよびそのプログラムなどにより構成することができるのはもちろんである。
【００３２】
まず、図４の構成から説明する。図４の構成はごく単純な構成であり、その設計思想は心電図信号Ｈ、シャッタ操作信号Ｓの論理積信号のエッジに遅延時間を加えてシャッタタイミング信号ＳＴを生成するものである。
【００３３】
このため、図４の回路は心電図信号Ｈを入力するゲート１０２、およびシャッタ操作信号Ｓを入力するゲート１０１の出力をＡＮＤゲート１０３に入力し、このＡＮＤゲート１０３の出力によりさらに心電図信号と眼底血管の拍動のタイムラグに相当する遅延時間を設定した遅延時間生成回路１０４を駆動し、遅延時間生成回路１０４の出力のネガティブエッジをフリップフロップなどから成る波形整形回路１０５により取り出し、シャッタタイミング信号ＳＴとして出力する。
【００３４】
ゲート１０１、１０２はシュミットトリガなどの回路から構成される。遅延時間生成回路１０４は本実施形態ではモノマルチバイブレータとするが、カウンタ、タイマ回路などから構成することもできる。
【００３５】
図４の構成では、検者のシャッタ操作により生成されたシャッタ操作信号Ｓが入力されてから心電図信号と眼底血管の拍動のタイムラグに相当する遅延時間の加算がスタートする。このため、心電図信号Ｈとシャッタ操作のタイミングのずれ方によっては検者が意図したタイミングよりもかなり遅れてシャッタ１２が駆動されるおそれがある。
【００３６】
そこで、シャッタ操作信号Ｓが有効となってから、最も速いタイミングで心電図信号タイミングに眼底血管の拍動のタイムラグに相当する遅延時間を加えたシャッタタイミング信号ＳＴを得られるようにしたのが図３の構成である。
【００３７】
図３では、図４の遅延時間生成回路１０４とフリップフロップなどから構成した波形整形回路１０５をゲート１０２とＡＮＤゲート１０３の間に設けてある。また、波形整形回路１０５を構成するフリップフロップのリセット端子Ｒはゲート１０１の出力信号（シャッタ操作信号Ｓ）のローレベルによりリセットされるように配線してある。
【００３８】
すなわち、図３の構成では、波形整形回路１０５が心電図信号タイミングに前記遅延時間を加えた遅延タイミングを（シャッタ操作に関係なく）常時、生成する信号処理手段として機能する。
【００３９】
したがって、図３の構成によれば、シャッタ操作信号Ｓが有効となってから、最も速いタイミングで遅延時間生成回路１０４の出力信号のネガティブエッジに同期して心電図信号タイミングに眼底血管の拍動のタイムラグに相当する遅延時間を加えたシャッタタイミング信号ＳＴを出力でき、検者のシャッタ操作との時間的なずれをより小さくすることができ、眼底カメラのアライメントの状態を大きく崩すことなく撮影および測定を行なえる、という効果がある。
【００４０】
シャッタタイミング信号ＳＴに同期してＣＣＤ１３により取り込まれた画像はファイリング装置３０に入力され、前述の測定方式により眼底の動脈と静脈の複数の交差点において静脈の直径Ｖ２／Ｖ１の比が算出され、その結果に基いて動脈硬化の状態が評価される。動脈硬化の状態の評価は、同一被検眼（あるいは被検者）に対して、撮影、静脈直径比の算出は、前述のように複数個所において実行し、それぞれ得られた値の平均などを算出することにより行なうのが望ましい。
【００４１】
なお、ファイリング装置３０は画像中の測定すべき眼底の静脈および動脈の特定、直径を測定すべき静脈の部位の検出、および実際の静脈直径の測定などを画像データ認識に基づき可能な限り自動的に行なえるのが望ましいが、場合によっては、これらの処理の一部を手動で行なう（たとえばモニタ４０に表示した眼底画像中で直径を測定すべき静脈をマウス３２を用いて指示する、など）ようにしてもよい。
【００４２】
なお、撮影、測定、および評価を複数回行なう場合、同一被検者について、心電図信号タイミングに加えるべき眼底血管の拍動のタイムラグに相当する遅延時間は撮影、測定、および評価を開始する前に１回だけ設定するようにしてもよいし、状況（たとえば心電図測定装置２０でモニタされる被検者の脈拍など）などに応じて上記のような手動設定、あるいは後述のような設定手法を用いて繰り返し行なうこともでき、これにより測定精度を高めることができる。
【００４３】
なお、タイミングスイッチ１６３や手動操作により設定した遅延時間は、遅延時間メモリ１５２に記憶され、次に更新されるまでそのまま記憶されるので、状況（被検者の脈拍など）に変化がなければ１回の測定セッションの最初に遅延時間を設定するだけで撮影、測定を繰り返すことができる。
【００４４】
さらに、本実施形態では、心電図信号タイミングに加えるべき眼底血管の拍動のタイムラグに相当する遅延時間は、遅延時間設定部１６で設定できるようにしてある。図５にタイミング制御回路１５および遅延時間設定部１６の構成例を示す。
【００４５】
図５（あるいはさらに後述の図６）は、上記遅延時間を検者が手動で数値入力したり、アップ／ダウン設定したり、あるいは眼底を観察しつつ眼底動脈の拍動タイミングを手動入力して、その入力タイミングと心電図信号から遅延時間を算出し、設定するための構成を示している。
【００４６】
図５のタイミング制御回路１５は、遅延時間制御回路１５１、遅延時間メモリ１５２、および遅延時間生成回路１０４から構成されている。
【００４７】
遅延時間制御回路１５１は、図３あるいは図４に示した基本構成を含み、遅延時間生成回路１０４は図３あるいは図４と同じものを特にブロックとして図示したものである。
【００４８】
そして、遅延時間制御回路１５１は、右側の遅延時間設定部１６の各操作手段の操作に応じて遅延時間メモリ１５２に遅延時間値を設定する。
【００４９】
遅延時間メモリ１５２の遅延時間値は遅延時間生成回路１０４が生成すべきパルス長を決定する。
【００５０】
遅延時間設定部１６は、図５に示した操作手段１６３〜１６８と表示器１６９を有し、これら操作手段１６３〜１６８により遅延時間メモリ１５２に設定すべき遅延時間値を入力することができる。操作手段１６３〜１６８はその全てを設ける必要はなく、装置の仕様などに応じて適当なものを眼底カメラ１０の操作パネル（あるいは、眼底カメラ１０に外付けするユニットとして構成された操作パネル）上に実装しておくことができる。もちろん、遅延時間制御回路１５１は、操作手段１６３〜１６８から操作情報を入力し、また、表示器１６９の表示を制御する回路を内蔵する。
【００５１】
以下各操作手段１６３〜１６８、および表示器１６９につき説明する。
【００５２】
符号１６４は、遅延時間入力手段で、この遅延時間入力手段１６４はたとえばロータリースイッチや、可変抵抗などから構成することができ、検者が１ｍｓ〜１０００ｍｓ程度（本装置で取り扱う遅延時間の単位は、ｍｓに限定されるものでない）の範囲の遅延時間値を入力できるものであればどのようなものでもよい。あるいは遅延時間入力手段１６４はテンキーなどのキーボードから構成してもよい。
【００５３】
遅延時間入力手段１６４で設定した遅延時間値の現在値は、ＬＣＤあるいはＬＥＤパネルなどから構成した表示器１６９で表示することができ、検者はこの表示により設定した遅延時間値の現在値を確認できる。
【００５４】
さらにアップキー１６７およびダウンキー１６８を設けておけば、これらのキー１６７、１６８の１操作により適当な単位（１〜１０ｍｓ程度）で現在の遅延時間の値を上下に調節することができる。また、クリアキー１６６を設けておけば、一旦設定した遅延時間値を無効な値にリセットすることもできる。
【００５５】
以上のようにして、遅延時間設定部１６を用いて、検者は、心電図信号タイミングに加えるべき眼底血管の拍動のタイムラグに相当する所望の遅延時間を設定することができる。
【００５６】
以上に示した遅延時間設定部１６の操作手段は、検者がマニュアル操作により心電図信号タイミングに加えるべき眼底血管の拍動のタイムラグに相当する所望の遅延時間を直接入力（数値入力、アップ／ダウン設定）するためのものである。
【００５７】
本実施形態では、さらに実際の眼底血管の拍動タイミングを検者が操作入力し、この操作入力された拍動タイミングと心電図信号Ｈを用いて遅延時間を決定できるようにしてある（遅延時間は直接入力せず、演算により求められる）。このため、本実施形態では、タイミングスイッチ１６３、設定キー１６５を設けている。
【００５８】
タイミングスイッチ１６３および設定キー１６５は次のようにして用いる。
【００５９】
たとえば、検者は眼底カメラ光学系１１に含まれる接眼部（不図示）か、あるいはモニタ４０上のＣＣＤ１３のリアルタイム撮影画像により眼底の乳頭部など眼底血管の拍動を視認できる部位を観察しながら、眼底血管の拍動を認めたタイミングでタイミングスイッチ１６３を操作する。
【００６０】
そして、タイミングスイッチ１６３の操作タイミング直前の心電図信号Ｈの所定波形部位（波形ピークなど、１波形を代表する部位であれば任意である）からの時間値を遅延時間として入力する。
【００６１】
なお、タイミングスイッチ１６３の操作は、眼底血管の拍動を視認してから操作するのではなく、眼底血管の拍動のテンポを読みながら、検者が次の拍動を予測して押下するようなものであっても実用上は差しつかえないものと考えられ、むしろ、検者の反応時間のバラツキなどを考えると取扱説明書などにおいては上記のような予測的な操作を推奨した方が望ましいかもしれない。
【００６２】
また、タイミングスイッチ１６３による眼底血管の拍動タイミング入力を１回だけではなく、複数回行なうことにしてもよく、その場合、設定キー１６５は複数回（たとえば最新の１０回など）行なったタイミングスイッチ１６３の操作で演算された遅延時間に対して所定の演算（たとえば算術平均など）を行なうことにより最終的な遅延時間を決定するために用いることができる。このように、タイミングスイッチ１６３を操作して得たタイミングから遅延時間を決定することによって、より正確に遅延時間を得ることができる。
【００６３】
さらに、タイミングスイッチ１６３および設定キー１６５を用いた遅延時間設定はモニタ４０で図６に示すような表示を行なうことによって、より判りやすいユーザーインターフェースとすることができる。
【００６４】
図６は、ファイリング装置３０のモニタ４０で遅延時間設定、あるいは動脈硬化測定時に行なうべき表示の例を示している。
【００６５】
図６において符号４００はモニタ４０の表示画面で、表示画面４００中には、眼底画像表示部４０１、書誌事項表示部４０２、および心電図波形表示部４０４を設けてある。
【００６６】
眼底画像表示部４０１には、ＣＣＤ１３の撮影画像をリアルタイムで表示する。書誌事項表示部４０２には、測定データに付すＩＤ番号、日付、被検者の年齢、性別、測定（撮影）方式、撮影時のフィルタの種別などの書誌事項を表示するとともに、動脈硬化測定のための遅延時間値４０３（表示器１６９で表示する値と同様に遅延時間メモリ１５２に設定された現在値）を表示する。
【００６７】
心電図波形表示部４０４には、現在の心電図信号Ｈの波形をオシロスコープと同様の表示様式で表示し、タイミングスイッチ１６３で入力設定された遅延時間幅Ｄを心電図信号Ｈの波形上にグラフィック表示する。このような表示によって、より視覚的に心電図信号タイミングに加えるべき眼底血管の拍動のタイムラグに相当する遅延時間を検者に認識させることができる。
【００６８】
また、心電図波形表示部４０４の波形上に遅延時間を表示する方式は、上述のマニュアル設定により設定された遅延時間の表示にも利用できる。
【００６９】
あるいはマウス３２により適当な時間範囲、たとえば、波形代表部位Ｔ０から、所望のタイミングＴ１までをドラッグすることにより遅延時間幅Ｄを直感的かつ容易に入力することもできる。
【００７０】
なお、ファイリング装置３０のモニタ４０で図６のようなユーザーインターフェースを実施するためには、当然ながらファイリング装置３０とタイミング制御回路１５（あるいはさらに遅延時間設定部１６）との間に必要な情報を入出力できる経路（図１の破線の経路）が必要である。このような経路は、ファイリング装置３０とタイミング制御回路１５（あるいはさらに遅延時間設定部１６）との間に適当な入出力インターフェース（パラレルポートやＵＳＢなど任意の方式でよい）を設けることにより構成できる。あるいは、タイミング制御回路１５（あるいはさらに遅延時間設定部１６）の機能を全てファイリング装置３０を構成するＰＣのハードウェア（その一部あるいは全ては拡張カード上などに実装されるものであってよい）およびソフトウェアにより構成することもできる。
【００７１】
以上のようにして、動脈硬化測定のため、心電図信号タイミングに加えるべき眼底血管の拍動のタイムラグに相当する遅延時間を設定することができる。
【００７２】
上記のうち、特に手動設定により遅延時間を設定する構成では、任意の遅延時間値を設定することができるため、たとえば検者の研究用途、あるいは診療用途に適した任意の遅延時間値を設定できる。
【００７３】
また、眼底血管の拍動を観察しつつタイミングスイッチ１６３を用いて遅延時間を設定する方式によれば、非常に容易な操作により直感的に遅延時間を設定することができる。
【００７４】
また、シャッタ操作との関連においては、図３に示したようにシャッタ操作信号Ｓが有効となってから、最も速いタイミングで心電図信号タイミングに眼底血管の拍動のタイムラグに相当する遅延時間を加えたシャッタタイミング信号ＳＴを出力でき、検者のシャッタ操作との時間的なずれをより小さくすることができ、眼底カメラのアライメントの状態を大きく崩すことなく撮影および測定を行なえる、という効果がある。
【００７５】
なお、シャッタタイミング信号ＳＴは、眼底カメラ１０およびファイリング装置３０で利用するだけではなく、他の外部装置で利用できるよう供給する手段（外部端子など）を設けるようにしてもよい。
【００７６】
本実施形態では、さらに眼底画像データおよび心電図信号を相互に関連づけてファイリングし、眼底撮影時およびその後の評価に役立てることができるようにする。
【００７７】
図７は眼底画像データおよび心電図信号のファイリング装置３０のＨＤＤ４１（あるいは他の記憶媒体：ＭＯやＣＤ−Ｒなど媒体は任意である）上でのファイリング記録フォーマットを示している。図７のデータは、１撮影ごとに１組のデータテーブルとして生成され、ＨＤＤ４１などの記憶媒体に記憶する。
【００７８】
図７において符号７１は、ＣＣＤ１３で撮影した眼底画像データのポインタデータである。眼底画像データが画像ファイル（ＪＰＥＧやＧＩＦなど）形式で別途格納される場合にはそのファイル名などがこのポインタデータとして用いられる。
【００７９】
符号７２は、当該撮影に関連した上述の書誌事項、すなわちＩＤ番号、日付、被検者の年齢、性別、測定（撮影）方式、撮影時のフィルタの種別などの書誌事項データへのポインタである。これらのデータはそのまま図７のデータテーブル中に格納してもよい。あるいは別ファイルとしてこれらのデータが格納される場合にはそのファイル名などがこのポインタデータとして用いられる。
【００８０】
符号７３は心電図波形データポインタである。心電図波形データは図１の経路１４を経由して得た心電図信号のデジタル化データであり、その記録フォーマットは任意であるが、たとえば音声データのデジタル記憶で用いられるようなＰＣＭ、ΔＰＣＭなどの記録フォーマットを用いることが考えられる。
【００８１】
この心電図波形データには後述の関連づけのため、少なくともサンプリング開始時刻（あるいは必要であればそのサンプリングレートおよび量子化ビット幅なども）を含めて記録するものとする。ＰＣＭ、ΔＰＣＭなどの記録フォーマットでは、あらかじめ定めたサンプリングレートおよび量子化ビット幅を用いるため、後述のタイミングデータとの関連付け表示はサンプリング開始時刻とサンプリングレートに基づき容易に行なうことができる。なお、心電図波形データのサンプリング開始時刻はタイマ４２の出力する絶対時刻データフォーマットで記録する。
【００８２】
心電図波形データについても、このデータが別ファイルとして格納される場合にはそのファイル名などがこのポインタデータとして用いられる。
【００８３】
符号７４〜７７…は、当該撮影に関連した各種タイミングデータである。符号７４は上記のようにして決定された遅延時間幅Ｄ、符号７５のタイミングデータＴ００は、シャッタボタン１４の操作タイミング（シャッタ操作信号Ｓのトリガエッジ）、タイミングデータ７６、７７はそれぞれ上記のタイミングＴ０、Ｔ１の時刻データである。符号７８のタイミングＴ２の時刻データは、心電図波形データの記録終了タイミングである。
【００８４】
これら時間データのうち、遅延時間幅Ｄはたとえばｍｓ単位あるいはμｓ単位で記録し、タイミングＴ０〜Ｔ２の時刻データは、タイミング制御回路１５中の信号タイミングに基き、タイマ４２の計時する絶対時刻データフォーマットで記録する。
【００８５】
心電図波形データの取り込みはシャッタ操作タイミングＴ００から開始し、記録終了タイミングＴ２において終了する。
【００８６】
記録終了タイミングＴ２は、たとえば、シャッタ操作タイミングＴ００にあらかじめ定めた時間幅を加えて求めることができる。この時間幅は、１〜数拍動ぶんの波形が納まるたとえば１．５ｓ〜１０ｓ程度の所定時間とする。シャッタ操作タイミングＴ００〜タイミングＴ２までの長さは、あらかじめ固定した時間幅であってもよいが、図５に示したものと同じあるいは同様のユーザーインターフェースにより検者が所望の値を設定できるようにしてもよい。
【００８７】
図８は眼底画像データおよび心電図信号の表示例を示している。図８の表示は、シャッタ操作タイミングＴ００の後、少なくとも上記の記録終了タイミングが経過すれば行なうことができる。
【００８８】
図８の上半部は図６と同様で、眼底画像表示部４０１にはシャッタ操作により実際に取り込まれた眼底画像データ（図７の画像データポインタにより示されるもの）を表示する。書誌事項表示部４０２には、書誌事項（図７の撮影データポインタにより示されるもの）を表示する。
【００８９】
図８下半部の心電図波形表示部４０４は、眼底画像表示部４０１の撮影時の心電図波形をグラフィック表示する。もちろん、この波形は図７の心電図波形データポインタにより示される、実際の撮影時の心電図波形である。この波形のグラフィック表示上には、上記のタイミングＴ００、Ｔ０〜Ｔ２を表わすシンボル（白３角、黒３角、黒丸、２重３角など）で各タイミングを表示する。
【００９０】
心電図波形表示部４０４の右側には、符号４０５で示すようにテーブル形式で上記各シンボルの凡例とともにタイミングＴ００、Ｔ０〜Ｔ２の値を数値表示する。
【００９１】
以上のようにして、眼底画像データとともに、心電図波形データおよび眼底撮影に関連するタイミングデータをファイリングすることにより、眼底撮影時およびその後の撮影条件や測定結果の評価を容易に行なえるようになる。
【００９２】
特に、図８のように眼底画像データと、心電図波形データおよび眼底撮影に関連するタイミングデータを数値表示、あるいは心電図波形のグラフィック表示上に関連付け表示することにより、検者は容易にこれら表示されたデータの関連を定量的かつ定性的に容易に把握することができ、手動で数値入力した、あるいはタイミングスイッチ１６３により設定した遅延時間幅Ｄが適切かどうかなどを容易に評価することができる。
【００９３】
以上では、心電図波形取り込みの契機となるシャッタ操作タイミングＴ００〜心電図波形の記録終了タイミングＴ２までの長さをあらかじめ定めた時間幅としたが、シャッタ操作タイミングＴ００の後、心電図信号の波形解析処理に基づき自動的に決定するようにしてもよい。
【００９４】
たとえば、図８中に拡大して示したように、心電図信号はＰ波、ＱＲＳ波、Ｔ波などの波形を含み、通常、Ｔ波が１拍動の最後の部分に現れる。したがって、ファイリング装置に取り込んだ心電図信号の１〜数拍動ぶんの心電図波形の終端、たとえばＴ波の終端のタイミング波形解析処理により求め、そのタイミングを記録終了タイミングＴ２として用いる。このような波形解析処理はファイリング装置３０のＣＰＵのソフトウェアにより行なうことができる。
【００９５】
ファイリング記録すべき心電図波形データの長さ（ファイリング記録時間）は、眼底撮影タイミング（Ｔ１）の決定に用いた波形を含む１〜ないし数拍動ぶんであればよい。つまり、入力した心電図波形データのファイリング記録開始後、少なくとも前記眼底画像の撮影タイミングの決定に係わる心電図波形を含む１ないし数拍動ぶんの心電図波形をファイリング記録した後、ファイリング記録を終了する。このように１ないし数拍動ぶん程度の長さの心電図波形をファイリング記録し、図８のように表示できれば、検者が検査結果や設定を確認するのに有用であるものと考えられる。
【００９６】
また、以上では、心電図波形データの取り込みはシャッタ操作タイミングＴ００から開始し、記録終了タイミングＴ２において終了するものとしたが、心電図波形データは、常時、１ないし数拍動ぶんの時間幅に相当する５００ｍｓ〜１０ｓ程度をバッファリングしておき、シャッタ操作タイミングＴ００の少し前（バッファリング時間幅に相当）からファイリングするようにしてもよい。これにより、図８の心電図波形表示がぎりぎりのタイミングから始まることがなくなり、見やすい表示を行なえる。
【００９７】
【発明の効果】
以上の説明から明らかなように、本発明によれば、心電図測定装置から入力される心電図信号波形のタイミングを用いて撮影手段による眼底画像の撮影タイミングを決定する眼科撮影装置において、眼底画像データと、その眼底画像の撮影タイミングの決定に係わる心電図信号波形データを関連づけてファイリング記録するファイリング手段を有し、前記ファイリング手段で、前記心電図信号波形データとともに前記心電図波形データに基づき決定される前記眼底画像撮影を制御するタイミングデータが記録される構成を採用しているので、眼底撮影時およびその後の撮影条件や測定結果の評価を容易に行なえ、動脈硬化測定などの目的に沿った適切な撮影条件の設定に基づき、心電図信号に同期して眼底画像を正確に撮影できる、という優れた効果が得られる。
【図面の簡単な説明】
【図１】本発明を採用した眼科測定装置の構成を示したブロック図である。
【図２】本発明を採用した眼科測定装置の動脈硬化測定の原理を示した説明図である。
【図３】図１のタイミング制御回路の構成の一例を示した説明図である。
【図４】図１のタイミング制御回路の構成の異なる一例を示した説明図である。
【図５】図１のタイミング制御回路および遅延時間設定部の構成例を示したブロック図である。
【図６】図１のモニタを用いたユーザーインターフェース例を示した説明図である。
【図７】眼底画像データおよび心電図信号のファイリング記録フォーマットを示した説明図である。
【図８】眼底画像データおよび心電図信号の表示例を示した説明図である。
【符号の説明】
１  動脈
２  静脈
１０  眼底カメラ
１１  眼底カメラ光学系
１２  シャッタ
１３  ＣＣＤ
１４  シャッタボタン
１５  タイミング制御回路
１６  遅延時間設定部
２０  心電図測定装置
３０  ファイリング装置
３１  キーボード
３２  マウス
３３  ネットワークインターフェース
４０  モニタ
４１  ＨＤＤ
４２  タイマ
１０１  ゲート
１０２  ゲート
１０３  ＡＮＤゲート
１０４  遅延時間生成回路
１０５  波形整形回路
１５１  遅延時間制御回路
１５２  遅延時間メモリ
１６３  タイミングスイッチ
１６４  遅延時間入力手段
１６５  設定キー
１６６  クリアキー
１６７  アップキー
１６８  ダウンキー
１６９  表示器
４００  表示画面
４０１  眼底画像表示部
４０２  書誌事項表示部
４０３  遅延時間値
４０４  心電図波形表示部
Ｄ  遅延時間幅
Ｈ  心電図信号
Ｓ  シャッタ操作信号
ＳＴ  シャッタタイミング信号
【図１】
0003931081.tif 000002
【図２】
0003931081.tif 000003
【図３】
0003931081.tif 000004
【図４】
0003931081.tif 000005
【図５】
0003931081.tif 000006
【図６】
0003931081.tif 000007
【図７】
0003931081.tif 000008
【図８】
0003931081.tif 000009